(57)【要約】      （修正有）【課題】支柱を安定して支えることが可能であり、且つ外観品質を損なうことが無い、支柱固定具を提供する。【解決手段】植木用鉢内に盛られた土上に載置され、植え込まれる植物の茎部を支持する支柱を立設する支柱固定具であって、所定角度をおいて互いに拡開して設けられ、土上面部に当接する複数のアーム部と、アーム部に設けられた支柱立設部とを備える。【選択図】図１
0003166051.tif 000002
【実用新案登録請求の範囲】
【請求項１】
植木用鉢内に盛られた土上に載置され、植え込まれる植物の茎部を支持する支柱を立設する支柱固定具であって、
所定角度をおいて互いに拡開して設けられ、土上面部に当接する複数のアーム部と、上記アーム部に設けられた支柱立設部とを備えたことを特徴とする鉢植え用支柱固定具。
【請求項２】
上記支柱立設部は、上記アーム部の連結部、及び先端部に設けられていることを特徴とする請求項１記載の鉢植え用支柱固定具。
【請求項３】
全体合成樹脂製であって、上記アーム部は一対に設けれ、上記支柱立設部は、平面円板状であると共に、厚さ方向に貫通した支柱固定用孔部を有することを特徴とする請求項２記載の鉢植え用支柱固定具。
【請求項４】
上記一対のアーム部は１２０度の角度に拡開して設けられていることを特徴とする請求項３記載の鉢植え用支柱固定具。
【請求項５】
上記植物は観賞用植物であることを特徴とする請求項１記載の鉢植え用支柱固定具。
【考案の詳細な説明】
【技術分野】
【０００１】
本考案は、植木用鉢内に盛られた土上に載置され、上記植物の茎部若しくは花茎部を支持する支柱を立設固定しうる支柱固定具に関する。
【背景技術】
【０００２】
植木用鉢内に盛られた土上に、所定形状の支柱を立設し、上記支柱の形状に合わせて茎や花茎部を装飾的形状に変形若しくは保持することによって、贈答用等に適した形態とする観賞用植物の装飾方法は既に広く用いられている。
【０００３】
観賞用植物の中でも、慶事の贈答用として、胡蝶蘭は人気が高い植物である。
胡蝶蘭は、茎の先端部から長く伸びて、前方に垂れ下がる花茎部と、上記花茎部に沿って、稲穂状に付いた複数の花弁部が特徴的である。
図４に示すように、贈答用の胡蝶蘭の鉢植え４０の場合、稲穂状の花弁部４１を美しい状態に成形保持するために、植え込み面から花弁部保持用の支柱４２ａ、４２ｂ、４２ｃを立設し、花茎部４３ａ、４３ｂ、４３ｃを支柱に沿って固定することによって、花弁部４１の配置位置等の調整を行う。
【０００４】
上記支柱４２ａ、４２ｂ、４２ｃは、花茎部４３ａ、４３ｂ、４３ｃが充分に伸びてから取り付けるため、植え込み面に直接差し入れると、根を傷める虞がある。
従って、従来は発泡スチロール等の支柱台（図４には図示せず）を、植え込み面に載置し、上記支柱台に支柱４２ａ、４２ｂ、４２ｃを突き刺すことによって立設していた。
【０００５】
しかしながら、発泡スチロールは軽く安定性に欠けると共に、柔らかく、土柱の水分、衝撃によって破損し易いことから、鑑賞中に支柱が倒れてしまう虞があるという不具合を有していた。
【０００６】
上記不具合を解決するために、植木用鉢の上端外周部に沿って装着された環状部と、上記環状部の周方向に沿って設けられた複数の支柱差込用の孔部とからなる、支柱固定具が提案されている（特許文献１）。
しかしながら、上記特許文献１に係る支柱固定具にあっては、環状部を植木用鉢の上端外周部に固定することから、螺子止め等の固定操作が必要となるため、取り付け作業が煩雑であり、且つ非常に目立つため、鉢植えの外観品質を損ない易いという不具合を有していた。
【０００７】
また、植木用鉢の上端開口縁部に載置しうる支柱固定部と、上記支柱固定部に設けられた支柱差込用の孔部とからなる植木用鉢載置型の支柱固定具が提案されている（特許文献２）。
しかしながら、胡蝶蘭は幅広の大きな葉が茎の下端部から横方向に広がって伸びていることから、植木用鉢の上端部に葉がかかってしまうため、上記特許文献２に係る支柱固定具を載置し難く、無理に載置した場合には、特許文献１に係る支柱固定具と同様に鉢植えの外観品質を損なうという不具合を有していた。
【特許文献１】特開２００６−１６６８９１号
【特許文献２】実開昭５５−４５７８１号
【考案の開示】
【考案が解決しようとする課題】
【０００８】
本考案の課題は、上記不具合を解消し、支柱を安定して支えることが可能であると共に、植木用鉢への固定操作等の作業が不要であり、且つ外観品質を損なうことが無い、支柱固定具を提供することにある。
【課題を解決するための手段】
【０００９】
上記課題を解決するため、請求項１に記載した考案に係る支柱固定具は、植木用鉢内に盛られた土上に載置され、植え込まれる植物の茎部を支持する支柱を立設する支柱固定具であって、所定角度をおいて互いに拡開して設けられ、土上面部に当接する複数のアーム部と、上記アーム部に設けられた支柱立設部とを備えたことを特徴とする。
【００１０】
従って、請求項１の考案にあっては、上記支柱立設部に立設された支柱は、土上に当接して配置された複数アーム部全体で支持される。
【００１１】
また、請求項２に記載した考案に係る支柱固定具は、上記支柱立設部は、上記アーム部の連結部、及び先端部に設けられていることを特徴とする。
【００１２】
従って、請求項２の考案にあっては、上記アームの連結部及び先端部に立設された支柱の重量は、上記アーム部全体で分散される。
【００１３】
また、請求項３に記載した考案に係る支柱固定具は、全体合成樹脂製であって、上記アーム部は一対に設けれ、上記支柱立設部は、平面円板状であると共に、厚さ方向に貫通した支柱固定用孔部を有することを特徴とする。
【００１４】
従って、請求項３の考案にあっては、合成樹脂で形成されていることから土中及び空気中の水分及び細菌等で腐食され難く、また、上記支柱固定用孔部が土上において垂直に配置されるため、上記支柱固定用孔部に支柱を差し込むことによって、支柱が垂直に立設される。
【００１５】
また、請求項４に記載した考案に係る支柱固定具は、上記一対のアーム部は１２０度の角度に拡開して設けられていることを特徴とする。
【００１６】
また、請求項５に記載した考案に係る支柱固定具は、上記植物は観賞用植物であることを特徴とする。
【考案の効果】
【００１７】
請求項１の考案に係る支柱固定具は、植木用鉢内に盛られた土上に載置され、植え込まれる植物の茎部を支持する支柱を立設する支柱固定具であって、所定角度をおいて互いに拡開して設けられ、土上面部に当接する複数のアーム部と、上記アーム部に設けられた支柱立設部とを備えることから、支柱立設部に立設された支柱は、土上に当接して配置された複数アーム部全体で支持されるため、支柱を安定して支えることが可能であると共に、植木用鉢への固定操作等の作業が不要であり、且つ外観品質を損なうことが無い支柱固定具を提供することができる。
【００１８】
また請求項２に係る支柱固定具は、上記支柱立設部は、上記アーム部の連結部、及び先端部に設けられていることから、上記アームの連結部及び先端部に立設された支柱の重量は、上記アーム部全体に分散され、より安定して支持される。
【００１９】
また、請求項３に記載した支柱固定具は、全体合成樹脂製であって、上記アーム部は一対に設けれ、上記支柱立設部は、平面円板状であると共に、厚さ方向に貫通した支柱固定用孔部を有することから、耐水性、耐細菌性が高く、耐久性が向上する。
また、支柱が垂直に立設されるため、支柱の安定性が高く、上記支柱によって植物の茎部を支持した場合に、より美しい外観品質に仕上げることができる。
【００２０】
また、請求項４の考案にあっては、上記一対のアーム部は１２０度の角度に拡開して設けられていることから、支柱を立設した場合の安定性が更に向上する。
【００２１】
また、請求項５の考案にあっては、上記植物は観賞用植物であることから、外観品質が高い鉢植え製品を提供することができる。
【図面の簡単な説明】
【００２２】
【図１】本考案に係る支柱固定具の一実施の形態を示す全体斜視図である。
【図２】本考案に係る支柱固定具の一実施の形態を示し、実施例に係る支柱固定具を植木用鉢内に盛られた土上に載置し、支柱を立設した状態を示す斜視図である。
【図３】本考案に係る支柱固定具の一実施の形態を示し、観葉植物として、胡蝶蘭が植えられた植木用鉢内に盛られた土上に実施例に係る支柱固定具を載置し、立設した支柱に花茎部を固定した状態を示す斜視図である。
【図４】従来の胡蝶蘭の鉢植えを示す斜視図である。
【考案を実施するための最良の形態】
【００２３】
以下、本考案に係る考案の実施形態について、一対のアーム部を供えた支柱固定具を、観賞植物である胡蝶蘭の鉢植えに載置する場合を例として、添付図面を用いて説明する。  
図３に示すように、本実施例に係る支柱固定具１０は、胡蝶蘭である観賞用植物の植木用鉢１１内に盛られた土上に載置され、１２０度の角度をおいて互いに拡開して設けられ、土上面部１２に当接し、合成樹脂からなる一対のアーム部１３ａ、１３ｂと、上記アーム部１３ａ、１３ｂの連結部１４、及び先端部１５、１６に設けられた支柱立設部１７ａ、１７ｂ、１７ｃとを備えている。
また、上記支柱立設部１７ａ、１７ｂ、１７ｃは、平面円板状であると共に、厚さ方向に貫通した支柱固定用孔部１８ａ、１８ｂ、１８ｃを有している。
【実施例】
【００２４】
本考案の実施例の構成について、添付図面を用いて詳述する。
図１は本実施例に係る支柱固定具１０の全体斜視図である。
図１に示すように、本実施例にあっては、上記支柱立設部１７ａ、１７ｂ、１７ｃは夫々直径約１０ｍｍに形成されると共に、上記アーム部１３ａ、１３ｂの長さ寸法は約６０ｍｍに形成されている。
なお、上記アーム部１３ａ、１３ｂの長さ寸法については、植木用鉢の大きさ、即ち、観賞用植物が植えられた土上面の大小によって適宜変更することができる。
【００２５】
また、図３に示すように、本実施例に係る支柱固定具１０は、胡蝶蘭である観賞用植物の植木用鉢１１内に盛られた土上面部１２に載置した場合、胡蝶蘭の葉部、若しくは水苔等（図３には図示せず）で覆い、外部からは視認されないに配置されている。
【００２６】
また、図２に示すように、支柱１９ａ、１９ｂ、１９ｃは、細長円柱形上の立設部２０ａ、２０ｂ、２０ｃと、上記立設部２０ａ、２０ｂ、２０ｃの上端に延設された彎曲部２１ａ、２１ｂ、２１ｃを有し、全体逆Ｊ字形に形成されている。
また、図３に示すように、胡蝶蘭の花茎部２２ａ、２２ｂ、２２ｃは、上記立設部２０ａ、２０ｂ、２０ｃと上記彎曲部２１ａ、２１ｂ、２１ｃに沿って、紐若しくは針金等によって固定されている。
なお、支柱１９ａ、１９ｂ、１９ｃの径寸法、及び全体形状は、鑑賞用植物の配置等によって適宜変更することが可能であり、上記支柱立設部１７ａ、１７ｂ、１７ｃの支柱固定用孔部１８ａ、１８ｂ、１８ｃの径寸法は、上記支柱１９ａ、１９ｂ、１９ｃの径寸法に応じて適宜変更することができる。
【００２７】
本実施例の作用及び効果について説明する。
図３に示すように、本実施例に係る支柱固定具１０は、胡蝶蘭の葉部２３、若しくは水苔等（図３には図示せず）で簡単に覆い隠すことができるため、鉢植えの外観品質を損なうことが無い。
また、上記アーム部１３ａ、１３ｂは、夫々土上面部１２に当接すると共に、上記アーム１３ａ、１３ｂの拡開角度θが１２０度に形成されているため、土上に載置した場合の安定性が高く、支柱１９ａ、１９ｂ、１９ｃを立設し、花茎部２２ａ、２２ｂ、２２ｃを固定した場合に、支柱１９ａ、１９ｂ、１９ｃが倒れ難く、且つ花茎部２２ａ、２２ｂ、２２ｃが美しく配置され、高い外観品質を保持することができる。
【００２８】
また、図１に示すように、上記支柱立設部１７ａ、１７ｂ、１７ｃとアーム部１３ａ、１３ｂは夫々合成樹脂で形成されていることから、従来の発泡スチロール製の支持台と比較して、水気、及びカビ等に対する耐久性が高い。
また、本実施例に係る支柱固定具１０の全体形状は極めて単純であることから、例えば、熱可塑性の合成樹脂を原料として、型成形等の手段によって簡易に製造することが可能である。
【００２９】
なお、支柱立設部及びアーム部の色彩については特に限定する必要は無く、白色、透明色の他、例えば胡蝶蘭の葉部の色に合わせて緑色とする、若しくは植え込み面に合わせ土色とする等も可能である。
また、胡蝶蘭以外の観賞用植物に対しても、支柱の形状を適宜変更することによって、容易に適用することができる。
【産業上の利用可能性】
【００３０】
本考案は、植木用鉢内に盛られた土上に載置され、上記植物の茎部若しくは花茎部を支持する支柱を立設固定しうる支柱固定具に適用可能である。
【符号の説明】
【００３１】
１０  支柱固定具
１１  植木用鉢
１２  植木用鉢の土上面部
１３ａアーム部
１３ｂアーム部
１４  アーム部の連結部
１５  アーム部の先端部
１６  アーム部の先端部
１７ａ支柱立設部
１７ｂ支柱立設部
１７ｃ支柱立設部
１８ａ支柱立設用孔部
１８ｂ支柱立設用孔部
１８ｃ支柱立設用孔部
１９ａ支柱
１９ｂ支柱
１９ｃ支柱
２０ａ支柱の立設部
２０ｂ支柱の立設部
２０ｃ支柱の立設部
２１ａ支柱の彎曲部
２１ｂ支柱の彎曲部
２１ｃ支柱の彎曲部
２２ａ胡蝶蘭の花茎部
２２ｂ胡蝶蘭の花茎部
２２ｃ胡蝶蘭の花茎部
２３  胡蝶蘭の葉部
４０  鉢植え
４１  花弁部
４２ａ支柱
４２ｂ支柱
４２ｃ支柱
４３ａ花茎部
４３ｂ花茎部
４３ｃ花茎部
【図１】
0003166051.tif 000003
【図２】
0003166051.tif 000004
【図３】
0003166051.tif 000005
【図４】
0003166051.tif 000006